(57)【要約】【課題】生成されるロゴマークのイメージを確認しながら簡単に独自のロゴマーク生成することが難しく、その生成のための電子データが盗用され易い。【解決手段】ロゴマークサーバ装置は、複数のマークデータを顧客の端末装置から閲覧可能な状態で呈示し、顧客が操作する端末装置は、顧客がロゴマークサーバ装置に接続して、前記複数のマークデータから任意のマークデータの選択と、このマークデータに顧客が付加する任意の付加データの追加と、このマークデータと付加データの配色の選択とができるように構成されており、ロゴマークサーバ装置は、顧客が選択したマークデータと付加データと配色とからロゴマークを生成して顧客が操作する端末装置から確認できるように呈示する機能を備え、顧客が操作する端末装置からロゴマークの注文を受けたらロゴマークを所定の形式で納品する。【選択図】        図４
2004355316.tif 000002
【特許請求の範囲】
【請求項１】
顧客が操作する端末装置と、該端末装置と通信可能なロゴマークサーバ装置とを備えたロゴマーク生成システムであって、
ロゴマークサーバ装置は、生成するロゴマークの基本形態となる複数のマークデータを顧客の端末装置から閲覧可能なように構成されており、
顧客が操作する端末装置は、ロゴマークサーバ装置に接続して、顧客が、前記複数のマークデータから任意のマークデータの選択と、該マークデータに付加する任意の付加データの選択と、該マークデータと付加データの配色の選択とができるように構成されており、
ロゴマークサーバ装置は、前記顧客が選択したマークデータと付加データと配色とからロゴマークを生成して顧客が操作する端末装置から確認できるように呈示し、該ロゴマークを所定の形式で納品するように構成されたロゴマーク生成システム。
【請求項２】
顧客が操作する端末装置と、ロゴマークを使用する提携先の情報端末装置と、これら端末装置と情報端末装置と通信可能なロゴマークサーバ装置とを備えたロゴマーク生成システムであって、
提携先の情報端末装置は、顧客に関する顧客情報を記録しており、
ロゴマークサーバ装置は、生成するロゴマークの基本形態となる複数のマークデータを顧客の端末装置から閲覧可能なように構成されており、
顧客が操作する端末装置は、ロゴマークサーバ装置に接続して、顧客が、前記複数のマークデータから任意のマークデータの選択と、該マークデータに付加する任意の付加データの選択と、該マークデータと付加データの配色の選択とができるように構成されており、
ロゴマークサーバ装置は、前記顧客が選択したマークデータと付加データと配色とからロゴマークを生成して顧客が操作する端末装置から確認できるように呈示し、前記提携先の情報端末装置から該情報端末装置に記録された顧客情報を受信し、該顧客情報に基づいて前記ロゴマークを所定の形式で納品するように構成されたロゴマーク生成システム。
【請求項３】
顧客が操作する端末装置と通信可能なように接続してロゴマークを生成するためのロゴマークサーバ装置であって、
顧客が操作する端末装置から閲覧可能なように複数のマークデータを呈示し、顧客から、該複数のマークデータから任意のマークデータの選択と、該マークデータに付加する任意の付加データの選択と、該マークデータと付加データの配色の選択とを受信すると、該マークデータと付加データと配色とからロゴマークを生成して顧客が操作する端末装置から確認できるように呈示し、該ロゴマークを所定の形式で納品するように構成したロゴマークサーバ装置。
【請求項４】
顧客が操作する端末装置とロゴマークを使用する提携先の情報端末装置と通信可能なように接続してロゴマークを生成するためのロゴマークサーバ装置であって、
顧客が操作する端末装置から閲覧可能なように複数のマークデータを呈示し、顧客から、該複数のマークデータから任意のマークデータの選択と、該マークデータに付加する任意の付加データの選択と、該マークデータと付加データの配色の選択とを受信すると、該マークデータと付加データと配色とからロゴマークを生成して顧客が操作する端末装置から確認できるように呈示するとともに、前記提携先の情報端末装置から該情報端末装置に記録された顧客情報を受信し、該顧客情報に基づいてロゴマークを所定の形式で納品するように構成したロゴマークサーバ装置。
【請求項５】
請求項３又は請求項４記載のロゴマークサーバ装置において、
前記顧客が、複数のマークデータの選択と、その付加データと配色とを選択できるように構成したロゴマークサーバ装置。
【請求項６】
請求項３又は請求項４記載のロゴマークサーバ装置において、
前記顧客が選択したマークデータと付加データと配色とで生成したロゴマークに加え、ロゴマークサーバ装置が該マークデータ又は付加データもしくは配色の一部が異なるロゴマークサンプルを独自に生成し、該ロゴマークサンプルと前記ロゴマークとを顧客が選択できるように呈示するように構成したロゴマークサーバ装置。
【請求項７】
請求項３〜６のいずれか１項に記載のロゴマークサーバ装置において、
前記生成されたロゴマークの電子データを、顧客が操作する端末装置へ送信することによって納品するように構成したロゴマークサーバ装置。
【請求項８】
請求項３〜７のいずれか１項に記載のロゴマークサーバ装置において、
ロゴマークサーバ装置で生成して顧客が注文したロゴマークをデータベース化し、新たに生成するロゴマークの一部又は全部が該データベースに既に登録されているロゴマークと一致した場合には生成を拒否し、一致しないロゴマークであれば新しく生成して顧客に呈示するように構成したロゴマークサーバ装置。
【請求項９】
請求項３〜８のいずれか１項に記載のロゴマークサーバ装置において、
ロゴマークサーバ装置で呈示するマークデータにデータ保護手段を施すように構成されているロゴマークサーバ装置。
【請求項１０】
請求項３〜８のいずれか１項に記載のロゴマークサーバ装置において、
ロゴマークサーバ装置で生成したロゴマークにデータ保護手段を施すように構成されているロゴマークサーバ装置。
【請求項１１】
コンピュータにロゴマークを生成させるためのロゴマーク生成プログラムであって、
複数のマークデータの中から顧客が選択したマークデータの情報と、顧客が入力した付加データの情報とを組合わせ、該組合わせたデータに顧客が選択した配色を施してロゴマークを生成し、該ロゴマークにデータ保護手段を施して顧客に呈示する処理をコンピュータに実行させるロゴマーク生成プログラム。
【発明の詳細な説明】
【０００１】
【発明の属する技術分野】
本願発明は、ロゴマークを生成するためのシステムに関し、詳しくは、通信可能な端末装置とサーバ装置との間で、ロゴマークのイメージを確認しながらロゴマークを生成できるロゴマーク生成システムと、そのロゴマークサーバ装置とロゴマーク生成プログラムとに関するものである。
【０００２】
【従来の技術】
従来より、特定のグループやチーム等においては、使用する物品（ステーショナリー等）に共通のロゴマークを使用することが多い。また、このようなロゴマークとしては、独自性を出すために、グループやチーム等の独自なものを作成することが多い。
【０００３】
このようなロゴマークを作成する場合、一般的に、ロゴマーク製作会社に出向き、窓口でマークデータのサンプルを見ながら好みのマークデータを選択し、注文書に必要事項を記載して注文する方法が行われている。この方法の場合、そのロゴマークを使用した物品（例えば、封筒等の物品やユニフォーム、シャツ等）を同時に注文したりする。
【０００４】
このような方法では、後日、ロゴマーク製作会社から完成の連絡を受け、製作会社へ出向くか、郵送等の手段によって商品を受け取ることになる。
【０００５】
一方、このようなロゴマークをネットワーク上で注文しようとする技術もある。例えば、顧客が、複数の異なる商品のいずれかと、その商品にキャラクタをつける位置と、任意のキャラクタの基本的な形状と、その形状の変形を指定すれば、それらの指定した情報に基づいて生成したキャラクタマークを顧客が確認できるように表示するキャラクタ生成方法がある（例えば、特許文献１参照。）。
【０００６】
【特許文献１】
特開２００３−７６８７７号公報（第３−９頁、図３）
【０００７】
【発明が解決しようとする課題】
しかしながら、上述したように窓口で注文する場合、注文する時に完成したロゴマークを確認することができず、注文時に予測したロゴマークと完成したロゴマークとのイメージが大きく異なる場合がある。例えば、注文時に好みの配色を選択してある程度仕上がり状態を予測しても、仕上がった状態では予想外に暗くなったり、配色に違和感を感じるような場合がある。
【０００８】
一方、前記特許文献１に記載のキャラクタ生成方法の場合、呈示されたモチーフやタッチの中から好みのものを選択するが、選択したモチーフやタッチで生成されるキャラクタは、顧客が多くの情報を入力した最終的な段階でないと確認できない。しかも、出来上がったキャラクタが予想外の形態や配色になっている場合には、所望のキャラクタが出来上がるまで修正や変更するために多くの時間を要する場合がある。また、所望するキャラクタが出来上がるまで修正や変更ができない場合もある。その上、前記キャラクタの場合、特定の物品（ウエア等）に付すような形態でしか得ることができない。
【０００９】
このように、従来の方法では、生成されるロゴマークがイメージしたものと異なる場合が生じたり、生成されたロゴマークは特定の物品に対してのみ使用可能で他の物品等には使用できないものである。
【００１０】
しかも、このようにネットワーク上でキャラクタや生成されたキャラクタマーク等を公開した場合、それらの電子データを容易にコピー（ダウンロード）することができる。例えば、Ｗｉｎｄｏｗｓ（Ｒ）パソコンの場合、顧客のパソコンのＬＣＤ等に表示されたキャラクタやキャラクタマークを右クリックし、表示されたプルダウンメニューから「名前を付けて画像を保存」を選択すれば、容易に顧客のパソコンにコピーを保存することができる。このようにしてコピーした電子データは、様々な物品に対して使用することができ、場合によっては、自社商品の商標としての機能を発揮する場合もあるため、盗用され易い。
【００１１】
そのため、マークデータ等の提供側とすれば、データの不正ダウンロード等による盗用によって不利益を被る。
【００１２】
そこで、本願発明は、生成されるロゴマークのイメージを確認しながら簡単に独自のロゴマークを生成でき、そのロゴマークを各種のもの使用可能な状態で納品することができるシステム又は装置を提供することを目的とする。また、このように生成するための電子データが盗用され難いようにすることも目的とする。
【００１３】
【課題を解決するための手段】
前記目的を達成するために、本願発明に係るロゴマーク生成システムは、顧客が操作する端末装置と、該端末装置と通信可能なロゴマークサーバ装置とを備えたロゴマーク生成システムであって、ロゴマークサーバ装置は、生成するロゴマークの基本形態となる複数のマークデータを顧客の端末装置から閲覧可能なように構成されており、顧客が操作する端末装置は、ロゴマークサーバ装置に接続して、顧客が、前記複数のマークデータから任意のマークデータの選択と、該マークデータに付加する任意の付加データの選択と、該マークデータと付加データの配色の選択とができるように構成されており、ロゴマークサーバ装置は、前記顧客が選択したマークデータと付加データと配色とからロゴマークを生成して顧客が操作する端末装置から確認できるように呈示し、該ロゴマークを所定の形式で納品するように構成されている。
【００１４】
「顧客」とは、既にロゴマークを生成したことがある顧客だけでなく、新たにロゴマークを生成する顧客も含む。
【００１５】
「端末装置」とは、顧客の自宅に設置されたパーソナルコンピュータや、所定の場所に設置された端末機、携帯電話、携帯情報端末（ＰＤＡ）等の装置であり、特定の顧客や複数の顧客が操作できる機器を含むものである。
【００１６】
「通信可能」とは、専用線やネットワークケーブル等で直接的に接続された環境や、ＬＡＮやインターネット等のようにネットワーク環境で間接的に接続された環境において通信が可能なことをいい、有線、無線を含む構成をいう。
【００１７】
「マークデータ」とは、生成するロゴマークの基本形態となるマークの電子データをいい、複数の電子データがデータベース化されたものをいう。
【００１８】
「ロゴマークサーバ装置」は、複数の「マークデータ」を記録し、顧客が任意に選択できるような機能を備えている。
【００１９】
「ロゴマーク」とは、「マークデータ」と「付加データ」とから構成され、これらに「配色」されたものをいう。
【００２０】
このような生成システムによれば、顧客は、操作する端末装置でロゴマークサーバ装置に記録されている全てのマークデータを閲覧して所望のマークデータを選択することができるので、このマークデータの選択時に生成されるロゴマークのイメージをほぼ確認することができ、そのマークデータに付加する付加データの選択とそれらの配色とを選択すればロゴマークが生成されるので、顧客は、生成されるロゴマークのイメージを初めの段階で確認して所望のロゴマークを短時間で適切に注文することができる。この注文したロゴマークも、適切な形で迅速に納品される。この納品されるロゴマークはロゴマークのデータであるため、様々な物品への適用が可能であり、ロゴマークの使用形態を広げることができる。
【００２１】
また、他のロゴマーク生成システムとしては、顧客が操作する端末装置と、ロゴマークを使用する提携先の情報端末装置と、これら端末装置と情報端末装置と通信可能なロゴマークサーバ装置とを備えたロゴマーク生成システムであって、提携先の情報端末装置は、顧客に関する顧客情報を記録しており、ロゴマークサーバ装置は、生成するロゴマークの基本形態となる複数のマークデータを顧客の端末装置から閲覧可能なように構成されており、顧客が操作する端末装置は、ロゴマークサーバ装置に接続して、顧客が、前記複数のマークデータから任意のマークデータの選択と、該マークデータに付加する任意の付加データの選択と、該マークデータと付加データの配色の選択とができるように構成されており、ロゴマークサーバ装置は、前記顧客が選択したマークデータと付加データと配色とからロゴマークを生成して顧客が操作する端末装置から確認できるように呈示し、前記提携先の情報端末装置から該情報端末装置に記録された顧客情報を受信し、該顧客情報に基づいて前記ロゴマークを所定の形式で納品するように構成されている。
【００２２】
「提携先」とは、顧客が利用するホテルやデパート等や、ロゴマーク提供側と提携したホテル等の施設をいう。
【００２３】
「情報端末装置」とは、前記提携先（例えば、ホテル、デパート等）に設けられ、その提携先の顧客に関する情報が記録される端末装置であり、提携先のＷＥＢサーバ等のパーソナルコンピュータ等の装置をいう。
【００２４】
「顧客情報」とは、顧客の住所、電話番号、ファクシミリ番号、ｅメールアドレス、ロゴマークの使用形態等をいう。
【００２５】
このようなロゴマーク生成システムによっても、顧客は、操作する端末装置でロゴマークサーバ装置に記録されている全てのマークデータを閲覧して所望のマークデータを選択することができるので、このマークデータの選択時に生成されるロゴマークのイメージをほぼ確認することができ、そのマークデータに付加する付加データの選択とそれらの配色とを選択すればロゴマークが生成されるので、顧客は、生成されるロゴマークのイメージを初めの段階で確認して所望のロゴマークを短時間で適切に注文することができる。しかも、この構成によれば、ホテル等の提携先に記録された顧客情報を受信して共有することができるので、顧客に関する情報の入力を繰り返すことなく迅速にロゴマークを生成することができるとともに、この注文したロゴマークも、この顧客情報に基づいて適切な形で迅速に納品される。
【００２６】
一方、本願発明に係るロゴマークサーバ装置は、顧客が操作する端末装置と通信可能なように接続してロゴマークを生成するためのロゴマークサーバ装置であって、顧客が操作する端末装置から閲覧可能なように複数のマークデータを呈示し、顧客から、該複数のマークデータから任意のマークデータの選択と、該マークデータに付加する任意の付加データの選択と、該マークデータと付加データの配色の選択とを受信すると、該マークデータと付加データと配色とからロゴマークを生成して顧客が操作する端末装置から確認できるように呈示し、該ロゴマークを所定の形式で納品するように構成している。なお、「顧客」、「端末装置」、「通信可能」、「マークデータ」、「ロゴマークサーバ装置」、「ロゴマーク」は、前記した説明と同一であるため、その説明は省略する。
【００２７】
このようなロゴマークサーバ装置によれば、顧客が操作する端末装置からロゴマークサーバ装置に記録されている全てのマークデータを閲覧して所望のマークデータを選択することができるので、このマークデータの選択時に生成されるロゴマークのイメージをほぼ確認することができ、そのマークデータに付加する付加データの選択とそれらの配色とを選択すればロゴマークが生成されるので、顧客は、生成されるロゴマークのイメージを初めの段階で確認して所望のロゴマークを短時間で適切に注文することができる。この注文したロゴマークも、適切な形で迅速に納品される。この納品されるロゴマークはロゴマークのデータであるため、様々な物品への適用が可能であり、ロゴマークの使用形態を広げることができる。
【００２８】
また、他のロゴマークサーバ装置としては、顧客が操作する端末装置とロゴマークを使用する提携先の情報端末装置と通信可能なように接続してロゴマークを生成するためのロゴマークサーバ装置であって、顧客が操作する端末装置から閲覧可能なように複数のマークデータを呈示し、顧客から、該複数のマークデータから任意のマークデータの選択と、該マークデータに付加する任意の付加データの選択と、該マークデータと付加データの配色の選択とを受信すると、該マークデータと付加データと配色とからロゴマークを生成して顧客が操作する端末装置から確認できるように呈示するとともに、前記提携先の情報端末装置から該情報端末装置に記録された顧客情報を受信し、該顧客情報に基づいてロゴマークを所定の形式で納品するように構成している。なお、「提携先」、「情報端末装置」、「顧客情報」とは、前記した説明と同一であるため、その説明は省略する。
【００２９】
このようなロゴマークサーバ装置によっても、顧客が操作する端末装置からロゴマークサーバ装置に記録されている全てのマークデータを閲覧して所望のマークデータを選択することができるので、このマークデータの選択時に生成されるロゴマークのイメージをほぼ確認することができ、そのマークデータに付加する付加データの選択とそれらの配色とを選択すればロゴマークが生成されるので、顧客は、生成されるロゴマークのイメージを初めの段階で確認して所望のロゴマークを短時間で適切に注文することができる。しかも、この構成によれば、ホテル等の提携先に記録された顧客情報を受信して共有することができるので、顧客に関する情報の入力を繰り返すことなく迅速にロゴマークを生成することができるとともに、この注文したロゴマークも、この顧客情報に基づいて適切な形で迅速に納品される。
【００３０】
さらに、これらのロゴマークサーバ装置において、前記顧客が、複数のマークデータの選択と、その付加データと配色とを選択できるように構成されていれば、顧客は複数のロゴマークから所望のロゴマークを選択することができるので、顧客の好みにより合致したロゴマークを迅速に注文することができる。
【００３１】
また、前記したロゴマークサーバ装置において、前記顧客が選択したマークデータと付加データと配色とで生成したロゴマークに加え、ロゴマークサーバ装置が該マークデータ又は付加データもしくは配色の一部が異なるロゴマークサンプルを独自に生成し、該ロゴマークサンプルと前記ロゴマークとを顧客が選択できるように呈示するように構成してもよい。
【００３２】
「ロゴマークサンプル」とは、顧客が選択したマークデータと付加データと配色とで生成するロゴマークと、マークデータ又は付加データもしくは配色の一部が異なるようにロゴマークサーバ装置が機械的に生成したロゴマークをいう。
【００３３】
このような構成によれば、顧客は、自分が選択した条件のロゴマークと、ロゴマークサーバ装置から呈示されたロゴマークサンプルとから所望のロゴマークを選択して注文することができる。
【００３４】
さらに、これらのいずれかのロゴマークサーバ装置において、前記生成されたロゴマークの電子データを、顧客が操作する端末装置へ送信することによって納品するように構成していれば、ロゴマークの注文も納品も通信にて行われるので、ロゴマークの注文から納品までをより迅速に行うことが可能となる。
【００３５】
また、前記いずれかのロゴマークサーバ装置において、ロゴマークサーバ装置で生成して顧客が注文したロゴマークをデータベース化し、新たに生成するロゴマークの一部又は全部が該データベースに既に登録されているロゴマークと一致した場合には生成を拒否し、一致しないロゴマークであれば新しく生成して顧客に呈示するように構成していれば、一度注文されたロゴマークと一部又は全部が一致するロゴマークは、その後生成されないようにできるので、注文されたロゴマークの唯一性を保つようにできる。
【００３６】
さらに、前記いずれかのロゴマークサーバ装置において、ロゴマークサーバ装置で呈示するマークデータにデータ保護手段を施すように構成されていれば、マークデータの電子データが不正なダウンロード等によって盗用されるのを抑止することができ、ロゴマークサーバ装置で生成したロゴマークにデータ保護手段を施すように構成されていれば、生成したロゴマークの電子データが不正なダウンロード等によって盗用されるのを抑止することができる。
【００３７】
一方、本願発明のロゴマーク生成プログラムは、コンピュータにロゴマークを生成させるためのロゴマーク生成プログラムであって、複数のマークデータの中から顧客が選択したマークデータの情報と、顧客が入力した付加データの情報とを組合わせ、該組合わせたデータに顧客が選択した配色を施してロゴマークを生成し、該ロゴマークにデータ保護手段を施して顧客に呈示する処理をコンピュータに実行させるようにしている。
【００３８】
「プログラム」とは、ＣＰＵにより直接実行可能なプログラムだけでなく、圧縮処理されたプログラム、暗号化されたプログラム等を含む概念である。
【００３９】
この生成プログラムによれば、顧客が選択したマークデータと付加データと配色とから顧客の好みに応じたロゴマークを生成することができるとともに、そのロゴマークにデータ保護手段を施して顧客に呈示するので、ロゴマークの自動生成と電子データの不正ダウンロード等による盗用抑止を図ることができるロゴマーク生成を実現することができる。
【００４０】
【発明の実施の形態】
以下、本願発明の一実施形態を図面に基づいて説明する。図１は本願発明の第１実施形態に係るロゴマーク生成システムを示すネットワーク構成図であり、図２は図１におけるロゴマークサーバ装置のハードウエア構成図、図３は図１におけるロゴマークサーバ装置の機能ブロック図である。
【００４１】
図１に示すように、この第１実施形態のロゴマーク生成システム１は、顧客が操作する端末装置２と、この端末装置２と回線４を介して通信可能に構成されたロゴマークサーバ装置３とを備えている。この回線４としては、専用回線や電話回線を介したデータ通信網（インターネット等）が使用される。
【００４２】
この実施形態では、ロゴマークサーバ装置３が、ファイヤーウォール機能と、顧客が接続する時の認証やアカウント等を作成して管理する機能とを有する認証サーバ３１と、マークデータや配色データ等を管理するデータベースサーバ３２と、顧客が選択したデータからロゴマークを生成して呈示する生成サーバ３３と、顧客に情報をメールで発信する機能と作成したロゴマークを所定の形式で納品する機能とを有する配信サーバ３４とから構成されている。これらのサーバ３２，３３，３４や顧客が操作する端末装置２は、いずれもパーソナルコンピュータで構成されており、コンピュータ本体と、ＣＲＴやＬＣＤ等の表示部と、キーボードやマウス等の入力部とから構成されている。認証サーバ３１のみが、コンピュータ本体のみで構成されている。
【００４３】
図２に示すように、これらのサーバ３２，３３，３４や顧客が操作する端末装置２には、表示部となるディスプレイ５と、入力部となるキーボード／マウス６と、ＯＳやメインプログラム、データベースプログラム等が記録されたハードディスク７と、ＣＰＵ８、メモリ９等とを備えている。また、ハードディスク７にＣＤ−ＲＯＭ１０からソフトウエアをインストールするためのＣＤ−ＲＯＭドライブ１１が設けられている。この実施形態では、コンピュータプログラムであるソフトウエアを記録した媒体であるＣＤ−ＲＯＭ１０を駆動するハードウエアを設けているが、このハードウエアは、ＣＤ−ＲＯＭドライブ１１以外にＦＤドライブ、その他の媒体を駆動／読出しできるハードウエアであってもよい。さらに、ＬＡＮや電話回線等と接続される通信回路１２が設けられている。
【００４４】
前記メインプログラムにロゴマーク生成プログラムが含まれており、この実施形態では、生成サーバ３３のハードディスクに記録されている。また、このように通信可能な構成としては、ショッピングモールや、遊園地等の限られた空間で通信可能な構成が含まれる。
【００４５】
この実施形態では、ハードディスク７に生成プログラムが記録された例を示しているが、このロゴマーク生成プログラムとしては、ＣＤ−ＲＯＭドライブ１１に挿入されるＣＤ−ＲＯＭ１０に記録されているものであってもよい。この場合、ＣＤ−ＲＯＭに記録されている生成プログラムを任意のコンピュータのハードディスクにインストールすることにより実行可能となる。具体的には、生成プログラムが記録されたＣＤ−ＲＯＭ１０をＣＤ−ＲＯＭドライブ１１に挿入し、インストールプログラムによってハードディスク７にインストールする。
【００４６】
なお、この実施形態では、ロゴマークサーバ装置３を複数のサーバ３１〜３４によって構成しているが、このロゴマークサーバ装置３は複数のパーソナルコンピュータに限られるものではなく、１台の専用コンピュータで構成してもよい。
【００４７】
また、この実施形態では生成プログラムが記録された媒体としてＣＤ−ＲＯＭを例示したが、コンピュータに備えられたハードウエアで読み出すことが可能な状態でプログラムを記録することができるものであればよく、ＣＤ−Ｒ、ＦＤ、ＤＶＤ−ＲＡＭ、コンパクトフラッシュ（Ｒ）等のフラッシュメモリー、その他の媒体であってもよい。
【００４８】
図３に示すように、このロゴマークサーバ装置３の機能としては、各種情報の制御部１３と、顧客からの情報が入力される入力部１４と、出力部１５と、メインプログラム１６と、必要な情報を記憶しておくためのメモリファイル１７と、生成されたロゴマーク等を記録する記録部１８とを備えている。これらは、前記ロゴマークサーバ装置３のいずれかのサーバ３１〜３４、又はサーバ３１〜３４の複数に設けられた構成によって発揮される。
【００４９】
そして、この機能により、後述するフローチャートに示すように、メインプログラム１６により、入力部１４から入力された情報がメモリファイル１７に記憶されるとともに必要なデータが読み込まれ、ロゴマークを生成して出力部１５から出力して顧客に呈示される。これらは制御部１３で制御される。出力部１５は前記ＬＣＤ等の表示部に出力したり、顧客が操作する端末装置２から確認できるように出力される。
【００５０】
図４は図１に示すロゴマーク生成システムにおける動作を説明するためのフローチャートである。図５はロゴマークを生成するためのメイン画面の一例を示す図であり、図６はマークデータを選択する前の一覧画面の一例を示す図、図７はマークデータを選択した画面の一例を示す図、図８はマークデータに付加する付加データの入力画面の一例を示す図、図９はマークデータの配色を選択する画面の一例を示す図、図１０はオーダー確認画面の一例を示す図、図１１は顧客の基本情報を入力する画面の一例を示す図である。
【００５１】
図４に示すフローチャートでは、インターネット等のネットワークを介して顧客が操作する端末装置２（図１）とロゴマークサーバ装置３（図１）とが接続された環境でロゴマークを生成する例を説明している。また、生成するロゴマークの一例としては、結婚式用のロゴマークを生成する例を説明する。なお、各ステップには、Ｓ１〜Ｓ８を付す。この図４と図５〜図１１とを交えながら、以下に説明する。
【００５２】
図４に示すスタート時には、顧客が操作する端末装置２によってロゴマークサーバ装置３の専用サイトにアクセスする。この専用サイトにアクセスすると、図５に示すような「メイン画面」１００が表示される。この「メイン画面」は一例であり、この専用サイトでは、どのようなロゴマークを生成することができるかが示されている。また、画面の下方には、ロゴマークを生成するための大きなステップの流れが、図の左から右に向けて示されている。このように専用サイトにアクセスした時の顧客の端末装置２は、図１に示す認証サーバ３１と通信によって接続された状態である。この「メイン画面」１００で「ＯＲＤＥＲ  ＳＴＡＲＴ」１０１をクリックすると、図６に示す次の画面に進む。
【００５３】
図６に示す画面は、ロゴマークの基本となるマークデータ１０２のサンプルが表示された「マーク選択画面」１０３である。この例では、マークデータ１０２のサンプルが一覧形式で表示されており、アルファベットの［Ａ］に関する種々のパターンが表示されている。図６は［エレガント］というイメージカテゴリーが一覧表示された状態を示している。なお、図では１０個のマークデータ１０２を表示しているが、この表示個数は任意に設定すればよく、特に限定されるものではない。
【００５４】
また、この実施形態では、［エレガント］以外に［ゴージャス］［プリティ］［シンプル］［イラストマーク］の５種類のイメージカテゴリーが示されている。これらのイメージカテゴリーを見る場合には、見たいイメージカテゴリーのタブをクリックすることによって見ることができる。これらのイメージカテゴリーは、更に増やしてもよい。また、そのマークデータ１０２を定期的に変更するようにしてもよい。
【００５５】
このように、ロゴマークの基本となるマークデータ１０２を選択する画面で、全てのマークデータ１０２のサンプルの中から選択できるようにしている。そのため、ロゴマークの基本となる形態のマークデータ１０２から生成されるロゴマークのイメージを容易に確認しながら選択することができる。これらのマークデータ１０２は、図１に示すデータベースサーバ３２に記録されたデータが、顧客が操作する端末装置２から閲覧できるように呈示されている。この画面で顧客が所望のマークデータ１０２をクリックして「マーク選択」をすると（Ｓ１）、図７に示す画面に進む。
【００５６】
図７は顧客が選択したマークデータ１０２を確認する「確認画面」１０４である。前記図６に示す［エレガント］のイメージカテゴリーの画面で［０４］をクリックした場合の画面であり、選択したシリーズ（この例ではイメージカテゴリー［エレガント］）のどれ（この例では［０４］）を選択したかが確認できる。しかも、選択したマークデータ１０２の他のアルファベットのイメージも複数が同時に表示され、それらのイメージから生成されるロゴマークのイメージを顧客が容易に確認することができる。また、画面１０４の下方のステップの流れには、現在「マーク選択」のステップであることが示される。この画面で「このシリーズを選ぶ」をクリックして「マーク確認」をすると（Ｓ２）、図８に示す次の画面に進む。この選択されたマークデータ１０２は、前記生成サーバ３３のメモリファイル１７に記憶される。なお、他のマークデータを選びたい場合は「戻る」をクリックすることにより、図６に示す画面に戻ることができる。
【００５７】
図８は、２人のファーストネームのイニシャルを選択する「マークの組み合わせ画面」１０５である。この「マークの組み合わせ画面」１０５には、２人のイニシャルを選択するような選択ボックス１０６が表示されており、矢印部をクリックして表示されるプルダウンメニューから任意の「イニシャル選択」をすることができる（Ｓ３）。また、この「マークの組み合わせ画面」１０５には、２人の名前（ネーム）を加えるボックス１０７が設けられている。この例では、［Ａｋｉｈｉｒｏ＆Ｋｙｏｋｏ］と「ネーム記入」をしている（Ｓ４）。これらイニシャルとネームとが、この実施形態における付加データ１０８となる。これらの付加データ１０８も、前記生成サーバ３３のメモリファイル１７に記憶される。さらに、この「マークの組み合わせ画面」１０５の一部には、２文字を選択した場合のロゴマークイメージ１０９が表示されるようになっている。
【００５８】
この実施形態では、イメージカテゴリー［エレガント］からアルファベットの「Ａ」を選択したので、付加データ１０８としてイニシャルを選択する選択ボックス１０６を設けているが、上述したイメージカテゴリーとしてイラストマーク等を選択した場合、例えば、［花］であれば［チューリップ］、［パンジー］等の名称、［星座］であれば［魚座］、［射手座］等の星座名、その他、［犬］や［鳥］であれば、そのイラストとなっている犬や鳥の名称を選択できるような選択ボックス１０６を設けるようにしてもよい。
【００５９】
前記「マークの組み合わせ画面」１０５に入力された情報で、生成されるロゴマークの形態が決まる。つまり、上述した「マーク選択」と「マークの組み合わせ」とによって、生成されるロゴマークの形態が決まり、この「マーク組み合わせ」画面で生成されるロゴマークのイメージを顧客が確認できる。また、画面１０５の下方のステップの流れには、現在「マークの組み合わせ」のステップであることが示される。この画面で「次へ」をクリックすると、図９に示す次の画面に進む。
【００６０】
図９に示す画面は、前記マークデータ１０２と付加データ１０８との配色を決定する「カラー選択画面」１１０である。この「カラー選択画面」１１０では、「メインカラー」と「サブカラー」とからなる「配色選択」をすることができる（Ｓ５）。この実施形態では、マークデータ１０２を「メインカラー」とし、イニシャルとネームの付加データ１０８とマークデータ１０２に付加された模様（この例では［葉］）とを「サブカラー」としている。これら「メインカラー」と「サブカラー」とによる配色の組み合わせは自由であり、付加データ１０８か模様のいずれかを更に別色にできるようにしてもよい。なお、配色がなされない場合でも、マークデータ１０２は外形のみで内側が透明に配色されたものとして、本願発明における「配色」に含まれる。この時、画面１１０の下方のステップの流れには、現在「カラー選択」のステップであることが示される。この画面で「次へ」をクリックすると、図１０に示す次の画面に進む。
【００６１】
図１０に示す画面は、ロゴマークの注文内容を確認する「オーダー確認画面」１１１である。この「オーダー確認画面」１１１では、選択したマークの種類と、イニシャルの組み合わせと、ネームと、メインカラーとサブカラーとが表示される。この時、画面１１１の下方のステップの流れには、現在「オーダー確認」のステップであることが示される。この画面１１１は、前記手順で選択した内容を確認してロゴマークを注文する画面であり、上述した手順で生成されるロゴマークの「オーダー確認」を行い（Ｓ６）、「決定」をクリックして注文する。この「決定」をクリックすると、図１１に示す次の画面に進む。
【００６２】
なお、この第１実施形態では、第二希望が選択できるように「マーク２」を生成できるように「次へ」という選択肢が設けられている。この第二希望を選択すると、上述した図６に示す一覧表示された「マーク選択」画面が表示され、上述した手順で第二希望のロゴマークを選択することができる。この手順は、後述する第２実施形態において説明する。
【００６３】
図１１に示す画面は、顧客の「基本情報記入画面」１１２である。この例では、「基本情報」として、新郎・新婦の氏名と、連絡先の電話番号、メールアドレス、挙式日、ホテル担当者と、案内状に生成されたロゴマークをいれるか否かを選択することができる。これらの記入事項は任意に設定可能である。例えば、生成されたロゴマークをＣＤ−ＲＯＭ等の媒体に記録して郵送で納品する方法を選択できるようにする場合、住所の入力ボックス等が追加される。
【００６４】
この画面１１２の下方のステップの流れには、現在「基本情報記入画面」のステップであることが示されている。この「基本情報記入画面」１１２の入力が完了して（Ｓ７）、「送信」をクリックするとロゴマークの「注文」が完了する（Ｓ８）。これらの情報を送信する場合、個人情報の漏洩防止のためにデータを暗号化して送信してもよい。この画面で入力された情報は、前記配信サーバ３４に記録される。
【００６５】
なお、上述した例ではロゴマークを注文した費用の決済に関して記載されていないが、この費用をクレジットカードで決済する場合には、クレジットカードに関する情報を入力する欄が追加される。この情報も、入力されれば前記配信サーバ３４に記憶される。
【００６６】
以上のように、顧客は、操作する端末装置２によってロゴマークサーバ装置３に登録されている全てのマークデータ１０２のサンプルを見ながらロゴマークを注文することができるので、顧客が所望するイメージに近いロゴマークのマークデータ１０２を適切に選択ことができ、しかも、生成されるロゴマークのイメージ１０９を見ながら進めることができるので、顧客がイメージするロゴマークを短時間で容易に注文することができる。
【００６７】
また、前記したようにしてロゴマークの注文が完了すると、生成サーバ３３によってロゴマークが生成され、ロゴマークの生成が完了すると、配信サーバ３４から、ロゴマークの生成が完了した旨が顧客の端末装置２に通知される。この通知はＥメールによって行われる。
【００６８】
そして、顧客がロゴマークが生成完了した旨の通知を受けると、顧客は端末装置２を操作してロゴマークサーバ装置３の顧客専用画面にアクセスし、生成されたロゴマークを確認してロゴマークの納品方法を選択する。ロゴマークの納品方法としては、ロゴマークの電子データをロゴマークサーバ装置３から顧客のＥメールアドレス宛に送信するオンライン納品か、ロゴマークの電子データをＣＤ−ＲＯＭ等の媒体に記録して郵送する郵便納品によって行われる。
【００６９】
また、納品されるロゴマークのデータ形式も、一般的な画像形式のＪＰＥＧ形式やＰＮＧ形式等から選択できるようにすればよい。このデータ形式としては、他のデータ形式であってもよい。さらに、生成されたロゴマークが付された物品等を選択できるようにしてもよい。
【００７０】
このように、ロゴマークを注文する時に生成されるロゴマークイメージを確認しながら迅速に注文することができ、生成されたロゴマークも迅速に納品されるので、顧客は、所望するロゴマークを迅速に得ることが容易に可能となる。
【００７１】
図１２は本願発明の第２実施形態に係るロゴマーク生成システムにおける動作を説明するためのフローチャートであり、図１３は同ロゴマーク生成システムにおいて、２種類のロゴマークから一方を選択する画面の一例を示す図である。この第２実施形態では、２つのロゴマークから一方を選択できるようにするものであり、上述した第１実施形態におけるステップＳ２とステップＳ３との間に、第二希望のマークデータを選択するステップＳ９が追加されている。以下の説明では、上述した第１実施形態と異なる部分のみを説明し、同一の部分は、その説明を省略する。
【００７２】
上述した第１実施形態では、ステップ１の「マーク選択」とステップ２の「マーク確認」とによって１つのマークを選択しているが、この第２実施形態では、ステップ９として「他のマークも選択」が追加されている。この「他のマークも選択」のステップ９を選択すると、上述した図６に示す「マーク選択画面」１０３が表示される。この「マーク選択画面」１０３で第二希望のマークデータ１０２をクリックして「マーク選択」を行うと（Ｓ１）、図７に示す「確認画面」１０４が表示され、この画面１０４で「このシーリーズを選ぶ」をクリックして「マーク確認」を行うことにより（Ｓ２）、上述した第１実施形態で選択したマークデータとで２つのマークデータ１０２を選択することができる。
【００７３】
そして、この実施形態によれば、この画面１０４で「このシーリーズを選ぶ」をクリックすると、図１３に示すように、２つのロゴマークイメージ１０９が表示された「マークの組み合わせ画面」１１３が表示される。この例では、上述した［エレガント］のイメージカテゴリーの［０４］と、［ゴージャス］のイメージカテゴリーの［０６］とを選択した場合の画面である。
【００７４】
この画面でどちらかの「選ぶ」１１４をクリックすると、上述した第１実施形態における図９の「カラー選択画面」１１０が表示される。この画面１１０が表示された後は、上述したステップＳ５〜Ｓ８と同一であり、図９〜図１１に示す画面のように進めることができる。これらは第１実施形態と同一であるため、詳細な説明は省略する。
【００７５】
なお、この実施形態では第二希望までを選択する例を示したが、同様の手順を繰り返して、第三希望や、より複数のロゴマークを選択することができるようにしてもよい。
【００７６】
また、この第２実施形態では、顧客が第二希望を選択した場合に前記図１３に示す２つのロゴマークイメージ１０９が表示されるようにしたが、上述した第１実施形態における図７の「確認画面」で顧客が「このシリーズを選ぶ」をクリックすると、前記図１３に示すように、２字のロゴマークと１字のロゴマークとから「デザイン」を選択できるようにしてもよい。この場合、上述した図７に示す「確認画面」１０４の表示と、図８に示す「マークの組み合わせ画面」１０５との間に、図１３に示す「マークの組み合わせ画面」１１３が表示されることになる。このような手順の流れは、他の組み合わせも可能である。
【００７７】
図１４は本願発明の第３実施形態に係るロゴマーク生成システムを示すネットワーク構成図であり、図１５は同ロゴマーク生成システムにおける動作を説明するためのフローチャートである。図１４に示すように、この第３実施形態のロゴマーク生成システム１９は、顧客が操作する端末装置２と、ロゴマークを使用する提携先の情報端末装置２０と、ロゴマークサーバ装置３０とが、回線４でインターネット等のネットワーク２１を介して通信可能なように構成されている。この実施形態の提携先の情報端末装置２０には、顧客の住所、電話番号、ファクシミリ番号、ｅメールアドレス、嗜好、趣味等の「顧客情報」が記録され、この「顧客情報」をロゴマークサーバ装置３０で共有することによって、顧客に関する情報の入力を繰り返すことなく迅速なロゴマーク注文ができるようにしている。
【００７８】
この実施形態では、ロゴマークサーバ装置３０が、ファイヤーウォール機能と顧客が操作する端末装置２又は情報端末装置２０からロゴマークサーバ装置３０に接続する時の認証やアカウント等を作成して管理する機能とを有する認証サーバ３１と、マークデータや配色データを管理するデータベースサーバ３２と、顧客が選択したデータからロゴマークを生成して呈示する機能と作成したロゴマークを所定の形式で納品する機能とを有する生成サーバ３３とから構成されている。また、提携先の情報端末装置２０としては、顧客に関する情報を管理する機能と、顧客に情報をメールで発信する機能とを有する。これらのサーバ３２，３３や顧客が操作する端末装置２、提携先の情報端末装置２０は、いずれもパーソナルコンピュータで構成されており、コンピュータ本体と、ＣＲＴやＬＣＤ等の表示部と、キーボードやマウス等の入力部とから構成されている。認証サーバ３１のみが、コンピュータ本体のみで構成されている。
【００７９】
これらのサーバ３２，３３や端末装置２、情報端末装置２０は、いずれも上述した図２に示す構成と同様であり、図２に示すように、表示部となるディスプレイ５と、入力部となるキーボード／マウス６と、ＯＳやメインプログラム、データベースプログラム等が記録されたハードディスク７と、ＣＰＵ８、メモリ９と、を備えている。また、ＣＤ−ＲＯＭ１０からソフトウエアをインストールするためのＣＤ−ＲＯＭドライブ１１も備えている。このＣＤ−ＲＯＭドライブ１１は、上述した第１実施形態と同様に、他の媒体を駆動／読出しできるハードウエアであってもよい。
【００８０】
また、上述した第１実施形態の図３に示すメインプログラム１６にロゴマーク生成プログラムが含まれており、この実施形態では、生成サーバ３２のハードディスク７に記録されている。なお、これらのサーバ３１〜３３も、個々独立したパーソナルコンピュータに限られるものではなく、１台の専用コンピュータで構成してもよい。
【００８１】
さらに、このようにネットワーク２１を通じて通信可能な構成としては、インターネットを介して通信可能な構成や、大学設備等のネットワークを介して通信可能な構成等が含まれる。なお、ロゴマークサーバ装置３０のハードウエア構成、機能としては、コンピュータの台数は異なるが、上述した図２，３に示す構成、機能と同一であるため、以下の説明では、同一の構成には図２，３に示す符号を付し、その詳細な説明は省略する。
【００８２】
図１５に示すフローチャートでは、図１４に示すように、顧客の端末装置２と提携先の情報端末装置２０とロゴマークサーバ装置３０とが、インターネット等のネットワーク２１を介して接続された環境で、顧客の端末装置２から提携先の情報端末装置２０を経由してロゴマークサーバ装置３０と通信してロゴマークを生成する例を説明している。また、生成するロゴマークの一例としては、結婚式用のロゴマークを生成する例を説明する。なお、上述した図４に示すステップと同一のステップには同一の符号を付し、新たな各ステップには、Ｓ１０〜Ｓ１３を付して説明する。
【００８３】
図１５に示すように、顧客が端末装置２を操作して、挙式を予定している提携先（ホテル等）に設けられた情報端末装置２０に接続し（Ｓ１０）、この情報端末装置２０の専用サイトにアクセスすると、顧客に関する「基本情報記入画面」が表示される。「基本情報記入画面」は、上述した図１１に示す画面と同様に各欄が設けられており、その提携先で挙式を予定している新郎／新婦に関する情報を記録することができる。この実施形態では、顧客の端末装置２から提携先の情報端末装置２０にネットワーク２１を介して基本情報を記入する例を示しているが、これらの基本情報は、提携先の情報端末装置２０で直接入力してもよい。
【００８４】
この「基本情報記入画面」１１２で記入される「顧客情報」には、顧客の住所、電話番号、ファクシミリ番号、Ｅメールアドレス等の連絡するための情報と、挙式の日時、ホテル担当者の氏名等の結婚式に関する情報とが含まれている。
【００８５】
このように「基本情報記入画面」１１２に入力することにより、提携先である挙式会場の情報端末装置２１のハードディスクに新郎・新婦に関する情報が記録される（Ｓ１１）。
【００８６】
そして、この情報端末装置２０の画面（ウエブページ等）、又は他の専用画面に設けられた「ロゴマーク作成」（例えば、アイコン、押しボタン等）を選択すると（Ｓ１２）、ロゴマークサーバ装置３０に設けられた所定の画面（ウエブページ等）に接続される。このロゴマークサーバ装置３０の所定の画面は、上述した図５に示す「メイン画面」１００であり、顧客が操作する端末装置２の画面に上述した「メイン画面」１００が表示される。この状態では、顧客の端末装置２は、提携先の情報端末装置２０を介してロゴマークサーバ装置３０に接続されている。
【００８７】
この実施形態では、顧客は、操作する端末装置２で提携先の情報端末装置２０へ接続し、この情報端末装置２０を介してロゴマークサーバ装置３０に接続しているが、顧客は端末装置２でロゴマークサーバ装置３０に接続し、ロゴマークサーバ装置３０と情報端末装置２０とが接続するような形態であってもよい。なお、この「情報端末装置２０を介して」とは、情報端末装置２０の画面（ウエブページ）に表示されたアイコン等をクリックすると、ロゴマークサーバ装置３０の所定の画面（ウエブページ）に接続されるような、ハイパーリンク機能によって接続される形態をいう。
【００８８】
このようにして顧客の端末装置２とロゴマークサーバ装置３０とがネットワークを介して接続されたら、上述した第１実施形態と同一のステップＳ１〜Ｓ６によって「オーダー確認」画面まで進められる。以下、簡単に説明する。
【００８９】
すなわち、まず、上述した図６に示すように、ロゴマークの基本となるマークデータ１０２のサンプルが表示された「マーク選択画面」１０３が表示される。この例でも、一覧形式で表示されるように構成されており、アルファベットの［Ａ］の種々のパターンが表示される。このサンプルの数等は、上述した第１実施形態と同様に変更可能である。
【００９０】
このように、全てのマークデータ１０２のサンプルが表示された状態で、それらのマークデータ１０２から生成されるロゴマークのイメージを確認して任意のマークデータ１０２を選択する。これらのマークデータ１０２は、図１４に示すデータベースサーバ３２に記録されたデータが表示されている。この画面１０３で顧客が任意のマークデータ１０２をクリックすると（Ｓ１）、図７に示す画面に進む。
【００９１】
図７に示す「確認画面」１０４では、選択したシリーズ（この例ではイメージカテゴリー［エレガント］）のどれ（この例では［０４］）を選択したかが表示されて確認することができる。この時、選択したマークデータ１０２以外のイメージも複数が同時に表示されて生成されるロゴマークのイメージを確認することができる。この画面１０４で「このシリーズを選ぶ」をクリックして「マーク確認」を行うと（Ｓ２）、図８に示す次の画面に進む。この時、選択されたマークデータ１０２は、前記生成サーバ３３のメモリファイル１７に記憶される。
【００９２】
図８に示す「マークの組み合わせ画面」１０５では、付加データ１０８として、２人のファーストネームのイニシャルを選択ボックス１０６で選択するとともに（Ｓ３）、２人のネームをボックス１０７に記入できるようになっている。この例でも、［Ａｋｉｈｉｒｏ＆Ｋｙｏｋｏ］とネームを記入している（Ｓ４）。この「マークの組み合わせ画面」１０５の一部には、マークデータ１０２を２文字選択した場合のロゴマークイメージ１０９が表示され、生成されるロゴマークのイメージを確認しながら注文作業を進めることができる。この画面で「次へ」をクリックすると、図９に示す次の画面に進む。
【００９３】
図９に示す「カラー選択画面」１１０では、前記選択したマークデータ等の配色を選択する。この「カラー選択画面」１１０で、「メインカラー」と「サブカラー」とからなる配色を選択する。これら色を異ならせる組み合わせは自由であり、ネームか模様のいずれかを更に別色に設定できるようにしてもよい。また、配色がなされない透明の場合でも、透明の配色がなされたものとする。この画面１１０で「次へ」をクリックすると、図１０に示す次の画面に進む。
【００９４】
図１０に示す「オーダー確認画面」１１１は、ロゴマークの注文内容を確認する画面であり、選択したマークの種類と、イニシャルの組み合わせと、ネームと、メインカラーとサブカラーとが表示される。この画面１１１が前記手順で選択した内容で生成するロゴマークを注文する画面であり、ロゴマークを注文する場合は「決定」をクリックする。
【００９５】
なお、この第３実施形態でも、上述した第２実施形態のように、第二希望を選択できるようにしてもよい。この場合、上述した図１３に示すように、複数のロゴマークから選択できるようにすればよい。
【００９６】
そして、この第３実施形態によれば、「オーダー確認画面」１１１で「決定」をクリックすると、ロゴマークサーバ装置３０が提携先の情報端末装置２０と通信し、情報端末装置２０に記録されている顧客の基本情報をロゴマークサーバ装置３０が受信（入手）して、必要項目が入力された「基本情報記入画面」を表示する。この画面は、上述した図１１に示す画面の各欄にデータが入力された状態の画面１１２となる。この例では、新郎・新婦の氏名と、連絡先の電話番号、メールアドレス、挙式日、ホテル担当者等が表示される。この画面１１２では、情報端末装置２０に予め入力されていない情報である、案内状に生成されたロゴマークをいれるか否か、を追加選択することができる。これらのデータは、予め顧客が提携先の情報端末装置２０に記録した情報から任意の項目を抽出してロゴマークサーバ装置３０が利用するようにしたものであり、項目は使用形態に応じて適宜決定すればよい。また、このように顧客情報を情報端末装置２０からロゴマークサーバ装置３０に送信する場合、顧客が操作する端末装置２からロゴマークサーバ装置３０に、提携先の情報端末装置２０に記録されている顧客情報を得るための「認証番号」等の情報が送信され、その情報をロゴマークサーバ装置３０から情報端末装置２０に送信して認証を得ることによってロゴマークサーバ装置３０が顧客情報を得るようにすればよい。また、このデータは暗号化してセキュリティを保つようにすればよい。
【００９７】
したがって、顧客は、提携先の情報端末装置２０に入力した、氏名や住所、電話番号、ファクシミリ番号、ｅメールアドレス等の顧客情報をを再度入力することなく、容易にロゴマークの注文を行うことができる。つまり、ホテル等の提携先において入力した（記載した）顧客に関する情報の入力を繰り返すことなく、提携先の情報端末装置２０に記録された顧客情報のデータを提携先とロゴマーク生成側とで共有することができるので、データ入力の労力を軽減して迅速にロゴマークを生成することができる。
【００９８】
この「基本情報記入画面」１１２を確認して「送信」をクリックすると、ロゴマークの注文が完了する。これらの情報を送信する場合、個人情報の漏洩防止のためにデータは暗号化されて送信される。この画面で入力された情報は、この実施形態では生成サーバ３３に記録される。
【００９９】
以上のように、この第３実施形態によっても、データベースに保存されている全てのマークデータ１０２のサンプルを見ながらロゴマークを注文することができるので、顧客が所望するイメージに近いロゴマークのマークデータ１０２を適切に選択することができ、しかも、生成されるロゴマークのイメージをネットワークを通じて見ながら進めることができるので、顧客がイメージするロゴマークを短時間で容易に注文することができる。しかも、インターネットを通じて時間に関係なく注文することもできる。
【０１００】
また、前記したようにしてロゴマークの注文が完了すると、生成サーバ３３によってロゴマークが生成され、ロゴマークの生成が完了すると、この実施形態では、生成サーバ３３から、ロゴマークの生成が完了した旨が顧客の端末装置２と提携先の情報端末装置２０に通知される。これらの通知はＥメールによって行われる。
【０１０１】
そして、顧客がロゴマークの生成が完了した旨の通知を受けると、顧客は端末装置２を操作してロゴマークサーバ装置３０の顧客専用画面にアクセスし、生成されたロゴマークを確認してロゴマークの納品方法を選択する。ロゴマークの納品方法としては、ロゴマークの電子データをロゴマークサーバ装置３０から顧客のＥメールアドレス宛に送信するオンライン納品か、ロゴマークの電子データをＣＤ−ＲＯＭ等の媒体に記録して郵送する郵便納品によって行われる。
【０１０２】
しかも、この実施形態では、提携先の情報端末装置２０とロゴマークサーバ装置３０とが通信可能であるため、提携先でもロゴマークを利用できるように、提携先の情報端末装置２０へのオンライン納品又は郵便納品することを選択できるようにしてもよい。また、この提携先への納品として、例えば、顧客が使用する物品等にロゴマークを付して、その物品を納品するようにしてもよい。具体的には、提携先が結婚式場の場合、案内状やメニュー、その他の小物等に生成したロゴマーク付して納品する。
【０１０３】
さらに、ロゴマークサーバ装置３０から納品されるロゴマークのデータ形式も、一般的な画像形式のＪＰＥＧ形式やＰＮＧ形式等から選択できるようにすればよい。このデータ形式としては、他のデータ形式であってもよい。
【０１０４】
このように、ロゴマークを注文する時に生成されるロゴマークイメージを初めの段階で確認して迅速に注文することができ、生成されたロゴマークも迅速に納品されるので、顧客は、自己の使用や提携先で使用するロゴマークを迅速に得ることが容易に可能となる。
【０１０５】
なお、上述したいずれの実施の形態も結婚式用のロゴマークを生成する例を示しているが、他に、フラワーショップやコーヒーショップ、病院、レストラン等、様々な使用形態に適用することができ、結婚式用に限定されるものではない。
【０１０６】
一方、上述した第１〜第３実施形態において、生成されたロゴマークは、その選択する組み合わせによって同一のものが生成される可能性がある。そこで、一度生成されたロゴマークと同一のものがその後生成されないようにして、生成されたロゴマークの唯一性を確保するようにしてもよい。
【０１０７】
この方法としては、前記ロゴマークサーバ装置３，３０で生成したロゴマークをデータベース化し、新たに生成するロゴマークがこのデータベースに既に登録されているロゴマークと一部又は全部が一致すれば新たな生成を拒否し、登録されていないロゴマークであれば新しく生成するようにすればよい。具体的には、顧客が選択した項目の組み合わせを登録し、新たに生成しようとするロゴマークのマークデータ１０２，１１６、付加データ１０８、配色の選択項目がデータベースに登録されたものと一致すれば、その新たなロゴマークの生成を行わないようにすればよい。この機能は、入力部１４から情報が入力されると、記録部１８のデータベースから既に生成したロゴマークの情報をメモリファイル１７に読み出して比較することによって行われる。この場合、既に生成されたロゴマークと一致すると判断したら、「既に生成されたロゴマークです。」等のメッセージを出力部１５に出力して、顧客に他の条件で選択するように促すようにすればよい。前記例では、マークデータ１０２，１１６と付加データ１０８とが一致するロゴマークの生成をしないようにしているが、これらの一致は、一部一致の程度を任意に設定すればよく、全部一致の場合との間で任意に設定すればよい。
【０１０８】
そして、新しくロゴマークを生成したらデータベースに追加登録され、その後に同じロゴマークが生成されないように管理される。このデータベースは、データベースサーバ３２に作成される。このようにすれば、生成されるロゴマークの唯一性を保つことができる。
【０１０９】
図１６は本願発明におけるデータ保護手段の第１例を示す概念図であり、電子透かし方式を採用したデータ保護の概念図であり、図１７は同データ保護手段の第２例を示す概念図であり、データ細分化方式を採用したデータ保護の概念図、図１８は同データ保護手段の第３例を示す概念図であり、複数レイヤー方式を採用したデータ保護の概念図である。これらに図示するように、上述したマークデータ１０２や生成されたロゴマーク等の電子データは、それらを無断でダウンロードしたり盗用して再利用することが困難なようにデータ保護手段が施されている。以下の説明では、マークデータ１０２を例に説明する。
【０１１０】
図１６は電子透かし方式の概念を示しており、マークデータ１０２のデータに、背景データ１１５の色と同色で電子透かし（この例では「複写禁止」）を入れたマークデータ１１６としておく。このように電子透かしを入れることにより、マークデータ１１６を不正ダウンロードしても、そのマークデータ１１６には電子透かしが入っているので、他の場所では有効に使用できないマークデータ１１６となるので、マークデータ１１６の不正ダウンロードを抑止することができる。この例では電子透かしで文字を入れているが、他の電子透かしであっても、マークデータ１１６等に背景色と同色でノイズとなるような文字等のデータを重ね合せるようにすればよい。
【０１１１】
図１７はデータ細分化方式の概念を示しており、マークデータ１０２のデータを縦横複数に細分化したマークデータ１１７とし、顧客に呈示するデータとしては正確に組合わせて１つのマークデータとして見えるようにしておく。このようにデータを複数に細分化したマークデータ１１７とすれば、マークデータ１１７を不正ダウンロードしても、マークデータ１１７の全てのデータを揃えて１つに組合わせないと使用できないので、マークデータ１１７の不正ダウンロードを抑止することができる。
【０１１２】
図１８は複数レイヤー方式の概念を示しており、背景データ１１５にマークデータ１０２を埋込み、そのマークデータ１０２の上部に透明の選択ボタン１１８を配置するような複数レイヤーとしておく。このようにすれば、マークデータ１０２の上部には透明な画像の選択ボタン１１８が配置された状態となるので、マークデータ１０２を不正ダウンロードしようとしても、ダウンロードできるのは透明な画像の選択ボタン１１８のみとなり、マークデータ１０２の不正ダウンロードを抑止することができる。
【０１１３】
なお、データ保護手段はこれらの例以外でも、電子データの盗用を防止／抑止できるデータ保護手段であればよく、暗号化手段等でもよい。
【０１１４】
さらに、上述した実施形態は一実施形態であり、本願発明の要旨を損なわない範囲での種々の変更は可能であり、本願発明は上述した実施形態に限定されるものではない。
【０１１５】
【発明の効果】
本願発明は、以上説明したような形態で実施され、以下に記載するような効果を奏する。
【０１１６】
顧客が操作する端末装置で生成されるロゴマークのイメージを確認しながら好みに合ったロゴマークを短時間で適切に注文することができ、注文したロゴマークの納品も迅速に行えるロゴマーク生成システムを提供することが可能になる。
【図面の簡単な説明】
【図１】本願発明の第１実施形態に係るロゴマーク生成システムを示すネットワーク構成図である。
【図２】図１におけるロゴマークサーバ装置のハードウエア構成図である。
【図３】図１におけるロゴマークサーバ装置の機能ブロック図である。
【図４】図１に示すロゴマーク生成システムにおける動作を説明するためのフローチャートである。
【図５】ロゴマークを生成するためのメイン画面の一例を示す図である。
【図６】マークデータを選択する前の一覧画面の一例を示す図である。
【図７】マークデータを選択した画面の一例を示す図である。
【図８】マークデータに付加する付加データの入力画面の一例を示す図である。
【図９】マークデータの配色を選択する画面の一例を示す図である。
【図１０】オーダー確認画面の一例を示す図である。
【図１１】顧客の基本情報を入力する画面の一例を示す図である。
【図１２】本願発明の第２実施形態に係るロゴマーク生成システムにおける動作を説明するためのフローチャートである。
【図１３】図１２に示すロゴマーク生成システムにおいて、２種類のロゴマークから一方を選択する画面の一例を示す図である。
【図１４】本願発明の第３実施形態に係るロゴマーク生成システムを示すネットワーク構成図である。
【図１５】図１４に示すロゴマーク生成システムにおける動作を説明するためのフローチャートである。
【図１６】本願発明におけるデータ保護方法の第１例を示す概念図であり、電子透かし方式を採用したデータ保護の概念図である。
【図１７】本願発明におけるデータ保護方法の第２例を示す概念図であり、データ細分化方式を採用したデータ保護の概念図である。
【図１８】本願発明におけるデータ保護方法の第３例を示す概念図であり、複数レイヤー方式を採用したデータ保護の概念図である。
【符号の説明】
１…ロゴマーク生成システム
２…端末装置
３…ロゴマークサーバ装置
４…回線
５…ディスプレイ
６…キーボード／マウス
７…ハードディスク
８…ＣＰＵ
９…メモリ
１０…ＣＤ−ＲＯＭ
１１…ＣＤ−ＲＯＭドライブ
１２…通信回路
１３…制御部
１４…入力部
１５…出力部
１６…メインプログラム
１７…メモリファイル
１８…記録部
１９…ロゴマーク生成システム
２０…情報端末装置
２１…ネットワーク
３０…ロゴマークサーバ装置
３１…認証サーバ
３２…データベースサーバ
３３…生成サーバ
３４…配信サーバ
１００…メイン画面
１０２…マークデータ
１０３…マーク選択画面
１０４…確認画面
１０５…マークの組み合わせ画面
１０６…選択ボックス
１０７…ボックス
１０８…付加データ
１０９…ロゴマークイメージ
１１０…カラー選択画面
１１１…オーダー確認画面
１１２…基本情報記入画面
１１３…マークの組み合わせ画面
１１５…背景データ
１１６…マークデータ
１１７…マークデータ
【図１】
2004355316.tif 000003
【図２】
2004355316.tif 000004
【図３】
2004355316.tif 000005
【図４】
2004355316.tif 000006
【図５】
2004355316.tif 000007
【図６】
2004355316.tif 000008
【図７】
2004355316.tif 000009
【図８】
2004355316.tif 000010
【図９】
2004355316.tif 000011
【図１０】
2004355316.tif 000012
【図１１】
2004355316.tif 000013
【図１２】
2004355316.tif 000014
【図１３】
2004355316.tif 000015
【図１４】
2004355316.tif 000016
【図１５】
2004355316.tif 000017
【図１６】
2004355316.tif 000018
【図１７】
2004355316.tif 000019
【図１８】
2004355316.tif 000020